(57)【要約】【課題】異なったデザインやサイズの靴に応じて別々に用意する必要がなく、汎用性に富んだ靴型の提供。【解決手段】本発明に係る靴型は、後足部と、複数の紫外線消毒ランプが内蔵される前足部とを有し、後足部が接続部を介して前足部に接続され、前足部の端部の外縁から曲折して中心かつ前方へ向けて延伸される複数の突き出し爪を備え、複数の紫外線消毒ランプは、複数の突き出し爪により取り囲まれる収納空間内に設けられている。【選択図】図１
2015534864.tif 000002
【特許請求の範囲】
【請求項１】
後足部と、複数の紫外線消毒ランプが内蔵される前足部とを有し、前記後足部が接続部を介して前記前足部に接続される靴型であって、
前記前足部の端部の外縁から曲折して中心かつ前方へ向けて延伸される複数の突き出し爪を備え、
複数の前記紫外線消毒ランプは、複数の前記突き出し爪により取り囲まれた収納空間内に設けられることを特徴とする靴型。
【請求項２】
前記前足部は、下爪体、上爪カバー、及び、前記下爪体内に設けられた複数のランプホルダからなり、
前記突き出し爪は、前記下爪体の前端から延伸される複数の下突き出し爪と、前記上爪カバーの前端から延伸される複数の上突き出し爪とを有し、
複数の前記ランプホルダは、前記下爪体の後端の端部ケース内において固定接続され、
各前記紫外線消毒ランプは、それぞれ、各前記ランプホルダに接続され、
前記上爪カバーの後端のカバーケースは、前記下爪体の端部ケースの外爪に対して締め付けられ、
前記後足部には、制御部が内蔵され、
前記制御部は、前記後足部のケース内を通過する電源コードに接続され、
各前記ランプホルダは、前記制御部と制御的に接続される請求項１に記載の靴型。
【請求項３】
前記接続部は、接続スリーブと、波紋収縮スリーブと、復帰バネとを有し、
前記後足部の下部には、前記接続スリーブを収納する滑り案内孔が設けられ、
前記接続スリーブは、その一端が下爪体の端部ケースに固定接続され、その他端が前記滑り案内孔に案内されて接続され、
前記波紋収縮スリーブは、前記接続スリーブの外周に被覆されるとともに、その両端がそれぞれ前記下爪体及び前記後足部に固定接続され、
前記制御部と前記ランプホルダとの間に位置する接続ケーブルは、前記接続スリーブを通過するように設けられている請求項１又は２に記載の靴型。
【請求項４】
前記下爪体の端部ケースの外方の両側には、それぞれ係止溝が設けられ、
前記上爪カバーのカバーケースの内方の両側には、それぞれ係止部が設けられ、
前記カバーケース及び前記端部ケースは、ともに前記係止部及び前記係止溝によって係止される請求項２に記載の靴型。
【請求項５】
前記下爪体の端部ケースには、前記制御部に接続される靴用乾燥部品が内蔵される請求項２に記載の消毒殺菌機能付きの靴型。
【請求項６】
前記下爪体の前端の両側からそれぞれ延伸される２つの下突き出し爪と、
前記上爪カバーの前端の両側からそれぞれ延伸される２つの側上突き出し爪と、
前記上爪カバーの前端の先端側から延伸される１つの主上突き出し爪とを有する請求項２に記載の靴型。
【請求項７】
前記下爪体の前端の両側からそれぞれ延伸される２つの下突き出し爪と、
前記上爪カバーの前端の先端側から延伸される１つの主上突き出し爪とを有する請求項２に記載の靴型。
【請求項８】
前記後足部には、制御パネルが設けられ、
前記制御パネルには、前記制御部に接続されるタッチ制御ボタンが設けられる請求項２に記載の靴型。
【発明の詳細な説明】
【技術分野】
【０００１】
本発明は、靴型に関する。
【背景技術】
【０００２】
靴型は、靴の母体となるもので、靴を成形する型としてラストとも呼ばれている。靴型は、一般的に、履かない靴の形状を保持させることに用いられる。この靴型は、靴に挿入してアッパーを支持する前端、中間に位置する中心管又は軸、及び、ヒール部といった３つの部分によって構成されている。通常、靴の革は、例えば、靴を履く人の足の汗や雨及び雪等の水分を吸収する。この場合、靴型を使用すれば、靴の革に吸収された水分が乾いていく際、靴が曲がって変形しないようにすることができる。ところで、常に暖かく湿った靴は、微生物、特に、細菌を繁殖させる理想的な場所を提供することになる。微生物や細菌が靴内において寄生すると、足が臭くなるばかりか、靴内の細菌によって人が病気にかかってしまう場合がよくある。軟膏等の薬によって治療しても、細菌が依然として忍んでいる靴を再び履くと、再度、感染してしまい、靴内の細菌によって足の病気を根治するのが非常に難しい。
【発明の概要】
【発明が解決しようとする課題】
【０００３】
ところで、公知技術として、靴型と、紫外線発光ランプのような電気消毒機器とを備えた靴型部品が知られている。このような靴型を、靴に挿入して使用すると、動作状態にある電気消毒機器が、靴内で繁殖する可能性がある細菌や他の微生物を殺菌するため、その結果、足の病気や臭いを根絶することが可能である。
しかしながら、このような靴型は、前端部が変形できない構造となっており、靴の前端部内側のサイズに応じて曲げ変形することができないため、異なったデザインやサイズの靴に応じて用意する必要があり、汎用性に乏しいという問題があった。
【０００４】
本発明は、上記問題点を解消することが可能な靴型を提供することである。
【課題を解決するための手段】
【０００５】
上記目的を達成するため、本発明は、後足部と、複数の紫外線消毒ランプが内蔵される前足部とを有し、前記後足部が接続部を介して前記前足部に接続される靴型であって、前記前足部の端部の外縁から曲折して中心へかつ前方へ向けて延伸される突き出し爪を備え、複数の前記紫外線消毒ランプは、複数の前記突き出し爪により取り囲まれた収納空間内に設けられる靴型を提供する。
【０００６】
好適には、前記前足部は、下爪体、上爪カバー、及び、前記下爪体内に設けられた複数のランプホルダからなり、前記突き出し爪は、前記下爪体の前端から延伸される複数の下突き出し爪と、前記上爪カバーの前端から延伸される複数の上突き出し爪とを有し、複数の前記ランプホルダは、前記下爪体の後端の端部ケース内に固定接続され、各前記紫外線消毒ランプは、それぞれ、各ランプホルダに接続され、前記上爪カバーの後端のカバーケースは、下爪体の端部ケースの外爪に対して締め付けられ、前記後足部には、制御部が内蔵され、前記制御部は、前記後足部のケース内を通過する電源コードに接続され、各前記ランプホルダは、前記制御部と制御的に接続される。
【０００７】
好適には、前記接続部は、接続スリーブと、波紋収縮スリーブと、復帰バネとを有し、前記後足部の下部には、前記接続スリーブを収納する滑り案内孔が設けられ、前記接続スリーブは、その一端が前記下爪体の端部ケースに固定接続され、その他端が前記滑り案内孔に案内されて接続され、前記波紋収縮スリーブは、前記接続スリーブの外周に被覆されるとともに、その両端がそれぞれ前記下爪体及び前記後足部と固定接続され、前記制御部と前記ランプホルダとの間に位置する接続ケーブルは、前記接続スリーブを通過するように設けられている。
【０００８】
好適には、前記下爪体の端部ケースの外方の両側には、それぞれ係止溝が設けられ、前記上爪カバーのカバーケースの内方の両側には、それぞれ係止部が設けられ、前記カバーケース及び前記端部ケースは、ともに前記係止部及び前記係止溝によって係止される。
【０００９】
好適には、前記下爪体の端部ケースには、前記制御部に接続される靴用乾燥部品が内蔵される。
【００１０】
好適には、前記下爪体の前端の両側からそれぞれ延伸される２つの下突き出し爪と、前記上爪カバーの前端の両側からそれぞれ延伸される２つの側上突き出し爪と、前記上爪カバーの前端の先端側から延伸される１つの主上突き出し爪とを有する。
【００１１】
本発明に対する最適化として、前記下爪体の前端の両側からそれぞれ延伸される２つの下突き出し爪と、前記上爪カバーの前端の先端側から延伸される１つの主上突き出し爪とを有する。
【００１２】
好適には、前記後足部には、制御パネルが設けられ、前記制御パネルには、前記制御部に接続されるタッチ制御ボタンが設けられる。
【発明の効果】
【００１３】
本発明は、構造が合理的且つコンパクトでありながらも使用に便利である。しかも、本発明は、安全で信頼性が高く、靴の内部を消毒して足部の細菌感染を防止することができるうえ、靴の外形及び外観を保持することができる。また、本発明は、前足部の端部の外縁から曲折して中心へ向けて延伸される突き出し爪が設けられているのは、異なったデザインの靴の内側のサイズに応じて自在に曲がって調整することができ、靴型が靴内にスムーズに置かれてアッパーを支えることを目的としている。また、本発明は、上爪カバーの取り外しや交換が可能なように構成されているのは、紫外線消毒ランプや灯管の交換やメンテナンスを容易にすること、また、異なったデザインの靴の特徴によって異なったデザインの上爪カバーを交換できるようにすることを目的としている。
【図面の簡単な説明】
【００１４】
【図１】本発明に係る靴型の立体構造を示す斜視図である。
【図２】図１に示す靴型の断面図である。
【図３】図１に示す靴型の上爪カバーを上方から視た状態を示す平面図である。
【図４】図１に示す靴型の分解斜視図である。
【図５】本発明に係る他の靴型の立体構造を示す斜視図である。
【図６】図５に示す靴型の断面図である。
【図７】図５に示す靴型の分解斜視図である。
【発明を実施するための形態】
【００１５】
（実施例１）
図１〜図７を参照して本発明の実施例１を説明する。実施例１に係る靴型は、後足部１と、複数の紫外線消毒ランプ５が内蔵された前足部３とを有し、後足部１が接続部２を介して前足部３に接続されている。靴型は、前足部３の端部の外縁から曲折して中心かつ前方へ向けて延伸される複数の突き出し爪３１を備え、複数の紫外線消毒ランプ５が複数の突き出し爪３１により取り囲まれた収納空間３ａ内に設けられている。
【００１６】
前足部３は、下爪体３３、上爪カバー３２、及び、下爪体３３内に設けられた複数のランプホルダ４からなっている。突き出し爪３１は、下爪体３３前端から延伸される複数の下突き出し爪３１ａと、上爪カバー３２前端から延伸される複数の上突き出し爪３１ｂとを有している。複数のランプホルダ４は、下爪体３３の後端の端部ケース３３ａ内に固定接続され、各紫外線消毒ランプ５は、それぞれ、各ランプホルダ４に接続されている。上爪カバー３２の後端のカバーケース３２ａは、下爪体３３の端部ケース３３ａの外爪に対して締め付けられている。後足部１には、制御部７が内蔵され、制御部７は、後足部１のケース内を通過する電源コード６に接続されている。各ランプホルダ４は、制御部７と制御的（電気的）に接続されている。
【００１７】
接続部２は、接続スリーブ２１、波紋（波状の）収縮スリーブ２２、復帰バネ２３を有している。後足部１の下部には、接続スリーブ２１を収納する滑り案内孔１１が形成され、接続スリーブ２１は、その一端が下爪体３３の端部ケース３３ａに固定接続される一方、その他端が滑り案内孔１１に案内されて接続されている。波紋収縮スリーブ２２は、接続スリーブ２１に被覆されるとともに、その両端がそれぞれ下爪体３３及び後足部１に固定接続されている。制御部７とランプホルダ４との間に位置する接続ケーブル７１は、接続スリーブ２１を通過するように設けられている。
【００１８】
異なったデザインや規格の上爪カバー３２の交換や、紫外線消毒ランプ５の交換を容易にするため、下爪体３３の端部ケース３３ａの外方の両側には、係止溝３３ｂが設けられ、上爪カバー３２のカバーケース３２ａの内方の両側には、係止部３２ｂが設けられている。カバーケース３２ａ及び端部ケース３３ａは、ともに係止部３２ｂ及び係止溝３３ｂによって係止される。
【００１９】
後足部１、下爪体３３及びランプホルダ４は、何れも２つの別々の構造のプラスチック部材を係合してなる。電源コード６は、ソケットに接続可能なプラグを含む。制御部７は、電子スイッチ、タイマー及び／又は電子安定器を含む。
【００２０】
（実施例２）
図２及び図６を参照して本発明の実施例２を説明する。実施例２は、実施例１の変形例である。実施例２では、下爪体３３の端部ケース３３ａに、制御部７に接続される靴用乾燥部品８が内蔵される。
【００２１】
（実施例３）
図１〜図４を参照して本発明の実施例３を説明する。実施例３は、実施例１の変形例である。実施例３では、複数の突き出し爪３１により取り囲まれた収納空間に、１つのランプホルダ４と、ランプホルダ４に接続される紫外線消毒ランプ５が内蔵されている。下爪体３３の前端の両側から２つの下突き出し爪３１ａがそれぞれ延伸されている。上爪カバー３２の前端の両側から２つの側上突き出し爪３１ｂ１がそれぞれ延伸され、その前端の先端側から１つの主上突き出し爪３１ｂ２が延伸されている。
【００２２】
（実施例４）
図５〜図７を参照して実施例４を説明する。実施例４は、実施例１の変形例である。実施例４では、複数の突き出し爪３１により取り囲まれた収納空間に、１つのランプホルダ４、及び、ランプホルダ４に接続される紫外線消毒ランプ５が内蔵されている。下爪体３３の前端の両側からそれぞれ２つの下突き出し爪３１ａが延伸され、上爪カバー３２の前端の先端側から１つの主上突き出し爪３１ｂ２が延伸されている。後足部１には、制御パネル１２が設けられ、この制御パネル１２には、制御部７に接続されるタッチ制御ボタン１２１が設けられる。
【００２３】
本発明の技術案について詳術したが、本発明の精神の実質から逸脱せず、当業者が上記実施例に基づいて修正や変更を加えたり、等価な代替案を採用することは当然なことである。また、本発明において用いた用語は、本発明の技術案を説明し理解させるためのものであり、本発明を制限するものではないことは理解すべきである。
【符号の説明】
【００２４】
１  後足部
２  接続部
３  前足部
４  ランプホルダ
５  紫外線消毒ランプ
６  電源コード
７  制御部
８  靴用乾燥部品
１１  滑り案内孔
１２  制御パネル
２１  接続スリーブ
２２  収縮スリーブ
２３  復帰バネ
３１  突き出し爪
３１ａ  下突き出し爪
３１ｂ  上突き出し爪
３１ｂ１  側上突き出し爪
３１ｂ２  主上突き出し爪
３２  上爪カバー
３２ａ  カバーケース
３２ｂ  係止部
３３  下爪体
３３ａ  端部ケース
３３ｂ  係止溝
７１  接続ケーブル
１２１  タッチ制御ボタン
【図１】
2015534864.tif 000003
【図２】
2015534864.tif 000004
【図３】
2015534864.tif 000005
【図４】
2015534864.tif 000006
【図５】
2015534864.tif 000007
【図６】
2015534864.tif 000008
【図７】
2015534864.tif 000009
【国際調査報告】
2015534864.tif 000010
2015534864.tif 000011
2015534864.tif 000012
2015534864.tif 000013
2015534864.tif 000014
2015534864.tif 000015